(57)【要約】【課題】スタンプが筆記具に一体化していたので、スタンプの使用の際には、筆記具を逆にしなければスタンプを使用することができなく、かつ後端ノック式筆記具ではスタンプを強く押すと過って内部筆記機構をノックしてしまう。【解決手段】スタンプが後部に設けられたスタンプ付き筆記具であって、軸筒１と内部筆記機構と内部筆記機構の後端部に設けられた受け部材１１とからなる筆記具の後端部にスタンプ１２を取り外し自在に設けてなる。【選択図】　　　　図１
2004136574.tif 000002
【特許請求の範囲】
【請求項１】
軸筒とこの軸筒内に設けられた筆記機構とからなる筆記具において、軸筒後端部にスタンプを着脱自在に設けたことを特徴とするスタンプ付き筆記具。
【請求項２】
前記軸筒内の後部において筆記機構の後端と接続されかつ前記スタンプを着脱自在に受けてなる受け部材を設けてなる請求項１記載のスタンプ付き筆記具。
【請求項３】
前記受け部材の受け部内壁に嵌合突起または嵌合溝を設けると共に、これらと嵌合する嵌合溝または嵌合突起をスタンプの外壁に形成してなる請求項２記載のスタンプ付き筆記具。
【請求項４】
前記軸筒後端部内壁に嵌合突起または嵌合溝を設けると共に、これらと嵌合する嵌合溝または嵌合突起をスタンプの外壁に形成してなる請求項１記載のスタンプ付き筆記具。
【請求項５】
前記スタンプの外壁の嵌合溝の幅方向両端縁に面取り部を形成し、スタンプを筆記具に戻す時に内部筆記機構が作動しない程度の嵌合抵抗によって筆記具に取り付けられてなる請求項３または４記載のスタンプ付き筆記具。
【請求項６】
前記スタンプは、前部小径部と後部大径部との間に前方に向かって下降する傾斜案内部を有してなる請求項１記載のスタンプ付き筆記具。
【請求項７】
前記スタンプは上面に刻印と同様の表示を設けると共に、スタンプ使用時に刻印の向きを表す目印を設けてなる請求項１記載のスタンプ付き筆記具。
【発明の詳細な説明】
【０００１】
【発明の属する技術分野】
この発明は、ボールペン、シャープペンシル等の筆記具の軸筒後端部にスタンプを取り外し自在に設けたスタンプ付き筆記具に関する。
【０００２】
【従来の技術】
従来、印鑑等のスタンプをその後端部に一体的に備えた筆記具であるスタンプ付き筆記具は提案されていた。しかしながら、このような例ではスタンプが筆記具に一体的に設けられていたので、スタンプの使用時には筆記具を持ち替えて逆にして使用しなければならなく、かつ押印の際にはスタンプ上方に位置する筆記具の重量がスタンプに加わるので正確に押印することが困難であった。
【０００３】
さらに、後端ノック式筆記具等では、使用の際スタンプを必要以上に強く押すと、過って筆記機構をノックをしてしまうおそれがあった。このことは、スタンプにキャップを嵌め込む時にも同様に必要以上強く押すとノックしてしまうという不都合があった。
【０００４】
【特許文献１】
特開平１１−９１２１９号公報
【特許文献２】
特開２０００−６２３９０号公報
【特許文献３】
特開２０００−１２７５８７号公報
【０００５】
【発明が解決しようとする課題】
そこで、この発明は上記のような従来の不都合を解消したものであって、印鑑等のスタンプの使用時にスタンプを筆記具から取り外すことが出来るので、筆記具を逆にしてスタンプを使用する必要をなくし、かつスタンプを筆記具から取り外して押印することができるので、押印時にクッションすることなく確実にスタンプ操作を行うことができるスタンプ付き筆記具を提供することを目的とする。
【０００６】
【課題を解決するための手段】
上記目的を達成するために、この発明によれば、軸筒と内部筆記機構とからなる筆記具の軸筒後端部にスタンプを着脱自在に設けてなる。
【０００７】
【発明の実施の形態】
以下、添付図面を用いて、この発明の実施の形態によるスタンプ付き筆記具について詳述する。
【０００８】
図１〜図３は、この発明の実施の形態１によるスタンプ付き筆記具、即ち、後端ノック式シャープペンシルを示す縦断面図である。図において、軸筒１は、前軸２とクリップ３１が設けられた後軸３とから構成されてなり、前軸２の先部には先具４が螺合されている。
【０００９】
さらに、軸筒１内には、内部筆記機構が長手方向に摺動自在に設けられている。即ち、この内部筆記機構は、芯が装填される芯タンク５と、この芯タンク５の先端部に固設された繰り出しチャック６と、このチャック６に遊嵌されたチャックリング７、チャック６の外側に設けられたクッションスリーブ８とからなる。さらに、芯タンク５の先端とスリーブ８の先端の内フランジとの間には戻しバネ９が設けられて、チャック６と芯タンク５とを常時後方に付勢している。他方、チャック６の前方の先具４の開口には芯保持用の先端スライダ１０が摺動可能に設けられている。
【００１０】
なお、芯タンク５の後端は、後述するスタンプ１２が挿入される受け部材１１の中空の脚部内１１１に圧入・固定されている。この受け部材１１の大径の受け部１１２の内周には、後述するスタンプ１２の環状の嵌合溝１２３と嵌合する環状の嵌合突起１１３が形成されている。
【００１１】
他方、スタンプ１２は、上端部にキャップ１２１が着脱自在に取り付けられ、かつこのキャップ１２１から下方に向かって幅狭となったテーパ部１２２を有する。このテーパ部１２２からさらに離間した下部外周壁には、環状の嵌合溝１２３が形成されており、嵌合溝１２３の両端縁はいずれも面取りされて、着脱し易いように面取り部１２４が形成されている。さらに、スタンプ１２の下端角部も面取りされて案内部１２５が形成されて受け部材１１に挿入し易くしている。
【００１２】
なお、図中符号１３は、先具４と前軸２の環状リブ２１との間に取り付けられて軸筒１のグリップ部分を被覆している軟質プラスチック等からなるグリップカバーである。
【００１３】
以下、上記実施の形態１によるスタンプ付き筆記具の動作を説明する。このスタンプ付き筆記具を筆記具として使用する場合は、筆記具の後軸３に装着されたスタンプ１２の後端をノックする。すると、受け部材１１を介して芯タンク５と共にチャック６が戻しバネ９に抗して前進せしめられる。
【００１４】
このチャック６の前進過程で、チャックリング７が先具４の内壁の段部４１に当接してチャック６から外れてチャック６が開放され、筆記芯が自重で落下・前進せしめられる。そして、ノックが解除されると、芯タンク５が後退せしめられるが、この過程でチャックリング７が再びチャック６に遊嵌してチャック６を閉成して筆記芯を保持する。
【００１５】
上記ノック動作を繰り返し、筆記芯がスライダ１０を経て先具４の開口から突出した状態で筆記が可能となる。なお、筆記が終了して筆記芯を内部に収納する場合にはノックをした状態で芯先端を軽く押し込めば、チャック６が開放された状態にあるので筆記芯は容易に収納することができる。
【００１６】
次に、スタンプ１２を使用する場合には、従来と同様に筆記具を逆にして使用することも出来るが、特にスタンプ１２を強く押す場合などは、スタンプ１２と筆記具内の受け部材１１との嵌合関係、即ちスタンプ１２の嵌合溝１２３と受け部材１１の環状突部１１３を利用して引っ張って嵌合を解除し、スタンプ１２を引き抜き（図３参照）、キャップ１２１を取り外して所望の箇所に押印すれば良い。この引き抜きの際に、嵌合溝１２３の両端縁に面取り部１２４が形成されているので、筆記具から容易に取り外すことができる。その後で、スタンプ１２からキャップ１２１を外して、スタンプ１２を使用することができる。
【００１７】
なお、スタンプ作業が完了すれば、再びキャップをスタンプに嵌めた後、筆記具後端部内にスタンプ１２を押し込めば、スタンプ１２の嵌合溝１２３と受け部材１１の嵌合突部１１３に嵌合しスタンプ１２が筆記具に取り付けられる。この場合においては、嵌合溝１２３の両端縁に面取り部１２４に加えてスタンプ１２の先端角部が面取りされた案内部１２５が形成されているので、スタンプ１２の筆記具への取り付けが容易にできる。なお、スタンプ１２を筆記具に戻す時に内部筆記機構が作動しない程度の嵌合抵抗によって筆記具に取り付けられなければならない。即ち、シャープペンシルにおいてはチャックリングが外れてチャックが開放されたり、またはボールペンにおいてはカム機構が切り替わるまで内部筆記機が前進しない程度をもってスタンプ１２が筆記具に取り付けられる必要がある。
【００１８】
また、上述したスタンプは、刻印部が上面に位置しているためノック部としてキャップ１２１を必要としたが、刻印部を下面に設ければこの刻印部が受け部材１１に位置するので、キャップ１２１を省くけると共にスタンプ１２を軸筒１から引き抜いてそのままの向きで押印することができる利点がある。なお、シャープペンシルの場合は、芯タンク５に芯が無くなった時には芯を補充する必要がある。この場合、従来のスタンプが一体のものでは構造的に無理であったが、この実施の形態の特有の利点として、スタンプ１２を引き抜くことができかつ受け部材１１の脚部１１１が中空に形成されているので、後方から芯を簡単に補充することができる。
【００１９】
さらに、スタンプの上面にその刻印と同様の表示を設けておけばスタンプを筆記具から引き抜いたりしなくとも、絶えず刻印の内容を把握することができる利点がある。また、スタンプの刻印に方向性がある場合には、例えばスタンプの刻印の向きに対応する側壁部に何らかの目印を設けておけば、正しい方向でスタンプすることが出来る。この下側に刻印部があるスタンプ１２場合は、下部にキャップを付ければ、スタンプのみ単体として販売できるので、ユーザーは購入後スタンプ１２からキャップを外して筆記具に取り付けることもできる。
【００２０】
図４および図５は、この発明の実施の形態２によるスタンプ付き筆ス具の縦断面図である。この場合の筆記具は、いわゆる後端ノック式複合筆記具であり、軸筒１内にはボールペン用のレフィール１５とシャープペンシル用の芯タンク５とが設けられている。そして、これらは後端のスタンプ１２のノック操作によってカム機構１４を経て選択的に軸筒１内を摺動せしめられ、軸筒１の先端開口から突出して筆記できる。
【００２１】
より詳しく述べると、前軸２と後軸３とからなる軸筒１内には、シャープペンシル用の芯タンク５とボールペン用のレフィール１５とが共に設けられている。これら芯タンク５とレフィール１５とはそれぞれ戻しバネ９により常時後方に付勢されている。また、これらの芯タンク５とレフィール１５との後部にはノック操作によってこれらを戻しバネ９に抗して選択的に前進せしめる切り替え用のカム機構１４が設けられている。そして、スタンプ１２のキャップ１２１をノック操作することによって、戻しバネ９に抗して芯タンク５とレフィール１５のいずれか一方を、前軸２の先端開口からそれぞれ突出させることができる。
【００２２】
また、後軸３内には受け部材１１が固設されており、この受け部材１１によって先部が受けられているスタンプ１２が取り外し可能に設けられている。なお、この場合も、受け部材１１の受け部１１２の内周に嵌合突起１１３が形成されており、この嵌合突起１１３に対応してスタンプ１２の前部外周には嵌合溝１２３が設けられている。従って、このような構成の実施の形態２によるスタンプ付き筆記具も前記実施の形態１と同様に動作しかつ同様の効果がある。なお、この実施の形態による筆記具では、構造上筆記芯等は筆記具の前方から補充する。
【００２３】
図６および図７は、この発明の実施の形態３によるスタンプ付き筆記具を示す。この例では、この筆記具は、上記実施の形態１と同様にシャープペンシルとボールペンとの両機能を備えたいわゆる複合筆記具と言われるものである。しかしながら、ノック操作はスタンプ１２と共に後軸３もノックする方式のいわゆる軸ノック式といわれるものである。即ち、ノック部材としてのスタンプ１２と共に後軸３をノック操作して内部筆記機構を前進せしめるタイプのものである。
【００２４】
より詳しく述べると、軸筒１は前軸２の後部外側にノック操作によって前方に摺動する後軸３が設けられている。そして、軸筒１内にはシャープペンシル用の芯タンク５とボールペン用レフィール１５とはノック操作によって選択的に前軸２の先端開口からそれぞれ突出するように収納されている。即ち、これら芯タンク５とレフィール１５とはそれぞれ戻しバネ９により常時後方に付勢されている。
【００２５】
そして、これらの芯タンク５とレフィール１５との後部にはノック操作によってこれらを戻しバネ９に抗して選択的に前進せしめる切り替え用のカム機構１４が設けられている。そして、後軸３内には受け部材１１が設けられており、この受け部材１１によって先部が受けられているスタンプ１２が取り外し可能に設けられている。
【００２６】
なお、この実施の形態においては、後軸３は前軸２の外側を長手方向に摺動するように設けられている。そして、後軸後端近傍の内壁には環状の嵌合突起１１３が形成されている。他方、この嵌合突起１１３に対応してスタンプ１２の上部外周には嵌合溝１２３が設けられている。このような構成の実施の形態２によるスタンプ付き筆記具も上記各実施の形態１と同様に動作しかつ同様の効果がある。なお、この実施の形態による筆記具では、上記実施の形態２の筆記具と同様に筆記芯等は筆記具の前方から補充する。
【００２７】
なお、上記各実施の形態において、スタンプが取り外し可能とする嵌合構造を構成する嵌合溝と嵌合突起とは夫々逆に各部材に設けても良いことは勿論である。また、軸筒は、前軸と後軸と別体のものでも一体のいわゆる１本軸でも良く、軸筒と先具と一体でも別体でも良く、さらには先具が先端芯パイプまたはチップと一体のものでも良い。
【００２８】
さらに、上記各実施の形態において、スタンプとは、印鑑は勿論のこと、文字および図形等の全ての刻印を含み、かつこれらは、その都度朱肉またはインキを付着せしめる必要のあるものおよび自動的に朱肉等が供給される全てのスタンプを含むものである。
【００２９】
【発明の効果】
この発明は、上記した通りの構成であるので、スタンプの使用時に筆記具を持ち替えて逆にして使用する必要がなく、スタンプを容易かつ確実に押印できるスタンプ付き筆記具を提供することができる効果がある。
【００３０】
さらに、この発明によれば、特に後端ノック式および軸ノック式筆記具において、押印の際またはキャップを嵌める際にスタンプを強く押しても、筆記機構とスタンプとは切り離されているのでクッションすることもなく確実にスタンプできかつキャップの取り付けの際にもスタンプがクッションしないのでキャップを簡単に取り付けることができるスタンプ付き筆記具を提供することができる効果がある。
【図面の簡単な説明】
【図１】この発明の実施の形態１による後端ノック式筆記具の縦断面図である。
【図２】図１の筆記具とスタンプとの嵌合部分の要部拡大縦断面図である。
【図３】図１の筆記具のスタンプを取り外した状態を示す正面図である。
【図４】この発明の実施の形態２による後端ノック式複合筆記具の断面図である。
【図５】図４の筆記具とスタンプとの嵌合部分の要部拡大縦断面図である。
【図６】この発明の実施の形態３による軸ノック式複合筆記具の縦断面図である。
【図７】図６の筆記具とスタンプとの嵌合部分の要部拡大縦断面図である。
【符号の説明】
１　軸筒
２　前軸
２１　環状リブ
３　後軸
３１　クリップ
４　先具
４１　段部
５　芯タンク
６　チャック
７　チャックリング
８　スリーブ
９　戻しバネ
１０　スライダ
１１　受け部材
１１１　脚部
１１２　受け部
１１３　嵌合突起
１２　スタンプ
１２１　キャップ
１２２　テーパ部
１２３　嵌合溝
１２４　面取り部
１２５　案内部
１３　グリップカバー
１４　カム機構
１５　ボールペンレフィール
【図１】
2004136574.tif 000003
【図２】
2004136574.tif 000004
【図３】
2004136574.tif 000005
【図４】
2004136574.tif 000006
【図５】
2004136574.tif 000007
【図６】
2004136574.tif 000008
【図７】
2004136574.tif 000009